(57)【要約】【課題】露光部材を感光体に向けて移動させる際の抵抗を少なくすることで、良好な位置決めを行うことができる画像形成装置を提供することを目的とする。【解決手段】画像形成装置は、露光部材（ＬＥＤユニット４０）の一端側に設けられ、露光部材が離間位置から露光位置に移動する際に装置本体１０と当接する第１付勢部材（右側線バネ３２０Ｒ）と、露光部材の他端側に設けられ、露光部材が離間位置から露光位置に移動する際に装置本体１０と当接する第２付勢部材（左側線バネ３２０Ｌ）と、を備え、露光部材を離間位置から露光位置へ移動していく際に、第１付勢部材が第２付勢部材よりも先に装置本体１０に当接するように構成されている。【選択図】図４
2010256756.tif 000002
【特許請求の範囲】
【請求項１】
静電潜像が形成される感光体と、
前記感光体を回転可能に支持する装置本体と、
前記感光体の軸方向に並ぶ複数の明滅部を有する露光部材と、
前記露光部材を、前記感光体を露光する露光位置と当該露光位置から離間する離間位置との間で移動可能に支持する支持部材と、
前記露光部材の前記軸方向の一端側に設けられ、前記露光部材が前記離間位置から前記露光位置に移動する際に前記装置本体と当接する第１付勢部材と、
前記露光部材の前記軸方向の他端側に設けられ、前記露光部材が前記離間位置から前記露光位置に移動する際に前記装置本体と当接する第２付勢部材と、を備えた画像形成装置であって、
前記露光部材を前記離間位置から前記露光位置へ移動していく際に、前記第１付勢部材が第２付勢部材よりも先に前記装置本体に当接するように構成されていることを特徴とする画像形成装置。
【請求項２】
前記露光部材の光軸方向において、前記第１付勢部材が、前記第２付勢部材よりも前記感光体側にずれるように配置されていることを特徴とする請求項１に記載の画像形成装置。
【請求項３】
前記第１付勢部材が当接する部分である前記装置本体の第１当接部が、前記露光部材の光軸方向において、前記第２付勢部材が当接する部分である前記装置本体の第２当接部よりも前記支持部材側にずれるように配置されていることを特徴とする請求項１に記載の画像形成装置。
【請求項４】
前記支持部材はカバーであり、
前記カバーには、前記露光部材と係合することで前記露光部材を吊り下げて支持する一対のフックが設けられ、
前記一対のフックのうち一方のフックが前記露光部材と係合する部分と、他方のフックが前記露光部材と係合する部分とが前記露光部材の光軸方向でずれることで、前記露光部材が斜めに吊り下げられていることを特徴とする請求項１に記載の画像形成装置。
【請求項５】
前記支持部材と前記露光部材との間には、前記露光部材を前記感光体に向けて押圧する押圧部材が設けられ、
前記押圧部材は、前記露光部材の両端側に１つずつ設けられ、
前記第１付勢部材側に配置される押圧部材の押圧力よりも、前記第２付勢部材側に配置される押圧部材の押圧力の方が強くなるように構成されていることを特徴とする請求項１〜請求項４のいずれか１項に記載の画像形成装置。
【請求項６】
静電潜像が形成される感光体と、
前記感光体を回転可能に支持する装置本体と、
前記感光体の軸方向に並ぶ複数の明滅部を有する露光部材と、
前記露光部材を、前記感光体を露光する露光位置と当該露光位置から離間する離間位置との間で移動可能に支持する支持部材と、
前記露光部材の前記軸方向の一端側に位置するように前記装置本体に設けられ、前記露光部材が前記離間位置から前記露光位置に移動する際に前記露光部材と当接する第１付勢部材と、
前記露光部材の前記軸方向の他端側に位置するように前記装置本体に設けられ、前記露光部材が前記離間位置から前記露光位置に移動する際に前記露光部材と当接する第２付勢部材と、を備えた画像形成装置であって、
前記露光部材を前記離間位置から前記露光位置へ移動していく際に、前記第１付勢部材が第２付勢部材よりも先に前記露光部材に当接するように構成されていることを特徴とする画像形成装置。
【請求項７】
静電潜像が形成される感光体と、
前記感光体を回転可能に支持する装置本体と、
前記感光体の軸方向に並ぶ複数の明滅部を有する露光部材と、
前記露光部材を、前記感光体を露光する露光位置と当該露光位置から離間する離間位置との間で移動可能に支持する支持部材と、
前記露光部材の前記軸方向の一端側に位置するように前記露光部材および前記装置本体のいずれか一方に設けられ、前記露光部材が前記離間位置から前記露光位置に移動する際に他方と当接する第１付勢部材と、
前記露光部材の前記軸方向の他端側に位置するように前記露光部材および前記装置本体のうち前記他方に設けられ、前記露光部材が前記離間位置から前記露光位置に移動する際に前記一方と当接する第２付勢部材と、を備えた画像形成装置であって、
前記露光部材を前記離間位置から前記露光位置へ移動していく際に、第２付勢部材が前記一方に当接するよりも先に前記第１付勢部材が前記他方に当接するように構成されていることを特徴とする画像形成装置。
【発明の詳細な説明】
【技術分野】
【０００１】
本発明は、複数の明滅部を有する露光部材を備えた画像形成装置に関する。
【背景技術】
【０００２】
従来より、感光ドラム（感光体）を露光するＬＥＤヘッド（露光部材）と、このＬＥＤヘッドを吊り下げるように支持して装置本体に対して上下に揺動するアッパーカバーとを備えた画像形成装置が知られている（特許文献１参照）。具体的に、この技術では、アッパーカバーを閉じると、ＬＥＤヘッドが感光ドラムに近付いていき、感光ドラムに対して位置決めされる。
【先行技術文献】
【特許文献】
【０００３】
【特許文献１】特許第３１５３１０３号公報
【発明の概要】
【発明が解決しようとする課題】
【０００４】
ところで、前述したようなアッパーカバーから吊り下げたＬＥＤヘッドを感光ドラムに対して位置決めするためには、例えばバネでＬＥＤヘッドを前後または左右に押して位置決め用の面に押し当てることが考えられる。しかしながら、このようなバネをＬＥＤヘッドの長手方向（感光ドラムの軸方向）両側に設けた場合において、ＬＥＤヘッドを感光ドラムに近接した位置まで押し込む際に各バネが装置本体に同時に当たると、抵抗が大きくなり、位置決めを良好にできなくなるおそれがあった。
【０００５】
そこで、本発明は、露光部材を感光体に向けて移動させる際の抵抗を少なくすることで、良好な位置決めを行うことができる画像形成装置を提供することを目的とする。
【課題を解決するための手段】
【０００６】
前記課題を解決する本発明は、静電潜像が形成される感光体と、前記感光体を回転可能に支持する装置本体と、前記感光体の軸方向に並ぶ複数の明滅部を有する露光部材と、前記露光部材を、前記感光体を露光する露光位置と当該露光位置から離間する離間位置との間で移動可能に支持するカバーと、前記露光部材の前記軸方向の一端側に設けられ、前記露光部材が前記離間位置から前記露光位置に移動する際に前記装置本体と当接する第１付勢部材と、前記露光部材の前記軸方向の他端側に設けられ、前記露光部材が前記離間位置から前記露光位置に移動する際に前記装置本体と当接する第２付勢部材と、を備えた画像形成装置であって、前記露光部材を前記離間位置から前記露光位置へ移動していく際に、前記第１付勢部材が第２付勢部材よりも先に前記装置本体に当接するように構成されていることを特徴とする。
【０００７】
本発明によれば、露光部材を露光位置へ移動していく際に、第１付勢部材と第２付勢部材が同時に装置本体に当接しないので、その分抵抗が少なくなり、位置決めを良好に行うことが可能となる。
【０００８】
なお、前述した第１付勢部材や第２付勢部材は、装置本体に設けてもよい。また、第１付勢部材を露光部材および装置本体のいずれか一方に設け、第２付勢部材を他方に設けてもよい。
【発明の効果】
【０００９】
本発明によれば、第１付勢部材と第２付勢部材が同時に装置本体に当接しないので、露光部材を感光体に向けて移動させる際の抵抗を少なくすることができ、良好な位置決めを行うことができる。
【図面の簡単な説明】
【００１０】
【図１】画像形成装置の一例としてのカラープリンタの全体構成を示す断面図である。
【図２】ＬＥＤユニットを後方から見た斜視図である。
【図３】ＬＥＤユニットを前方から見た斜視図である。
【図４】（ａ）〜（ｃ）は、ＬＥＤユニットを露光位置へ移動させる際の作用を示す説明図である。
【図５】（ａ），（ｂ）は、ＬＥＤユニットを露光位置へ移動させる際の作用を示す説明図である。
【図６】ＬＥＤユニットに設ける線バネの配置を変更した形態を示す説明図である。
【図７】ＬＥＤユニットを斜めに支持した形態を示す説明図である。
【図８】（ａ），（ｂ）は、装置本体に線バネを設けた形態を示す説明図である。
【発明を実施するための形態】
【００１１】
次に、本発明の実施形態について、適宜図面を参照しながら詳細に説明する。なお、以下の説明においては、まず、カラープリンタの全体構成を説明した後、本発明の特徴部分を詳細に説明することとする。
【００１２】
以下の説明において、方向は、カラープリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１３】
図１に示すように、カラープリンタ１は、装置本体１０内に、用紙Ｐを供給する給紙部２０と、給紙された用紙Ｐに画像を形成する画像形成部３０と、画像が形成された用紙Ｐを排出する排紙部９０とを備えている。
【００１４】
装置本体１０の上部には、開口部１０Ａが形成されている。そして、この開口部１０Ａは、装置本体１０に回動可能に支持される支持部材の一例としてのアッパーカバー１２によって開閉されるようになっている。アッパーカバー１２の上面は、装置本体１０から排出された用紙Ｐを蓄積する排紙トレイ１３となっており、下面には後述する露光部材の一例としてのＬＥＤユニット４０を保持する複数のＬＥＤ取付部材１４が設けられている。そのため、アッパーカバー１２を開閉すると、ＬＥＤユニット４０が、感光ドラム５３を露光する露光位置（図５（ｂ）の位置）と、当該露光位置から離間する離間位置（図４（ａ）の位置）との間で移動するようになっている。
【００１５】
給紙部２０は、装置本体１０内の下部に設けられ、装置本体１０に着脱自在に装着される給紙トレイ２１と、給紙トレイ２１から用紙Ｐを画像形成部３０へ搬送する用紙供給機構２２を主に備えている。用紙供給機構２２は、給紙トレイ２１の手前側に設けられ、給紙ローラ２３、分離ローラ２４および分離パッド２５を主に備えている。
【００１６】
このように構成される給紙部２０では、給紙トレイ２１内の用紙Ｐが、一枚ずつ分離されて上方へ送られ、紙粉取りローラ２６とピンチローラ２７の間を通過する過程で紙粉が除去された後、搬送経路２８を通って後ろ向きに方向転換され、画像形成部３０に供給される。
【００１７】
画像形成部３０は、４つのＬＥＤユニット４０と、４つのプロセスカートリッジ５０と、転写ユニット７０と、定着ユニット８０とから主に構成されている。
【００１８】
ＬＥＤユニット４０は、ＬＥＤ取付部材１４に対して揺動可能に連結されており、装置本体１０に設けられる位置決め部材によって適宜位置決めされて支持されている。なお、ＬＥＤユニット４０の詳細な構造は、後述することとする。
【００１９】
プロセスカートリッジ５０は、アッパーカバー１２と給紙部２０との間で前後方向に並んで配置され、静電潜像が形成される感光体の一例としての感光ドラム５３や、符号を省略して示す公知の帯電器、現像ローラ、トナー収容室などを備えて構成されている。なお、装置本体１０は、感光ドラム５３を直接、またはプロセスカートリッジ５０の筐体等を介して間接的に、回転可能に支持している。
【００２０】
転写ユニット７０は、給紙部２０と各プロセスカートリッジ５０との間に設けられ、駆動ローラ７１、従動ローラ７２、搬送ベルト７３および転写ローラ７４を主に備えている。
【００２１】
駆動ローラ７１および従動ローラ７２は、前後方向に離間して平行に配置され、その間にエンドレスベルトからなる搬送ベルト７３が張設されている。搬送ベルト７３は、その外側の面が各感光ドラム５３に接している。また、搬送ベルト７３の内側には、各感光ドラム５３との間で搬送ベルト７３を挟持する転写ローラ７４が、各感光ドラム５３に対向して４つ配置されている。この転写ローラ７４には、転写時に定電流制御によって転写バイアスが印加される。
【００２２】
定着ユニット８０は、各プロセスカートリッジ５０および転写ユニット７０の奥側に配置され、加熱ローラ８１と、加熱ローラ８１と対向配置され加熱ローラ８１を押圧する加圧ローラ８２とを備えている。
【００２３】
このように構成される画像形成部３０では、まず、各感光ドラム５３の表面が、帯電器により一様に帯電された後、各ＬＥＤユニット４０で露光される。これにより、露光された部分の電位が下がって、各感光ドラム５３上に画像データに基づく静電潜像が形成される。その後、静電潜像に現像ローラよりトナーが供給されることで、感光ドラム５３上にトナー像が担持される。
【００２４】
次に、搬送ベルト７３上に供給された用紙Ｐが各感光ドラム５３と搬送ベルト７３の内側に配置される各転写ローラ７４との間を通過することで、各感光ドラム５３上に形成されたトナー像が用紙Ｐ上に転写される。そして、用紙Ｐが加熱ローラ８１と加圧ローラ８２との間を通過することで、用紙Ｐ上に転写されたトナー像が熱定着される。
【００２５】
排紙部９０は、定着ユニット８０の出口から上方に向かって延び、手前側に反転するように形成された排紙側搬送経路９１と、用紙Ｐを搬送する複数対の搬送ローラ９２を主に備えている。トナー像が転写され、熱定着された用紙Ｐは、搬送ローラ９２によって排紙側搬送経路９１を搬送され、装置本体１０の外部に排出されて排紙トレイ１３に蓄積される。
【００２６】
＜ＬＥＤユニット周りの構成＞
次に、ＬＥＤユニット４０周りの構成について詳細に説明する。
図２および図３に示すように、ＬＥＤユニット４０は、長尺状のＬＥＤヘッド４１と、ＬＥＤヘッド４１を支持する樹脂製の支持フレーム４３とを備え、アッパーカバー１２に設けられるホルダ４８によって吊り下げられた状態で支持されている。
【００２７】
〔ＬＥＤヘッド４１〕
ＬＥＤヘッド４１は、半導体チップに多数のＬＥＤを配列して構成された複数のＬＥＤアレイ４１Ａと、ヘッドフレーム４１Ｂと、レンズアレイ４１Ｃとを備えて構成されている。本実施形態においては、明滅部は、一例として、複数のＬＥＤアレイ４１Ａとレンズアレイ４１Ｃとにより構成されている。
【００２８】
複数のＬＥＤアレイ４１Ａは、左右方向（感光ドラム５３の軸方向）において所定の画素ピッチに応じて一列に配列されており、選択的に駆動されることで適宜発光して、光を感光ドラム５３に向けて断続的に出射するように構成されている。具体的に、各ＬＥＤアレイ４１Ａは、形成すべき画像のデータに基づいて、図示しない制御装置により信号が入力されて発光し、感光ドラム５３を露光する。
【００２９】
ヘッドフレーム４１Ｂは、樹脂で形成されており、複数のＬＥＤアレイ４１Ａとレンズアレイ４１Ｃを支持している。
【００３０】
レンズアレイ４１Ｃは、各ＬＥＤアレイ４１Ａから出射された光を感光ドラム５３上に結像させるものであり、光の出射面が平面状に形成されるガラス製のＧＲＩＮレンズ（円柱状レンズ）を一列に並べて構成されている。
【００３１】
〔支持フレーム４３〕
支持フレーム４３は、左右方向に延びるベース部４３Ａと、ベース部４３Ａの両端から下方に延出する一対の延出部４３Ｂとを備えて構成されている。
【００３２】
ベース部４３Ａの上面の左右両側には、下方に凹む有底筒状のコイルバネ収容部４３Ｃがそれぞれ形成されており、各コイルバネ収容部４３Ｃ内には、支持フレーム４３を下方の感光ドラム５３に向けて押圧する押圧部材の一例としてのコイルバネ４７が設けられている。そして、左側（後述する左側線バネ３２０Ｌ側）に配置される左側コイルバネ４７Ｌは、右側（後述する右側線バネ３２０Ｒ側）に配置される右側コイルバネ４７Ｒの押圧力よりも強い押圧力となるように構成されている。
【００３３】
ベース部４３Ａの右側部には、第１付勢部材の一例としての右側線バネ３２０Ｒと、ＬＥＤユニット４０の左右方向の位置決めを行うための位置決め凹部２００が設けられている。
【００３４】
右側線バネ３２０Ｒは、ベース部４３Ａの右側面から右側に突出するアーム部Ｒ１と、アーム部Ｒ１が左右方向に撓み変形可能なようにアーム部Ｒ１を支持するコイル部Ｒ２とを主に備えている。そして、右側線バネ３２０Ｒのアーム部Ｒ１は、ＬＥＤユニット４０が前記離間位置から前記露光位置に移動する際に、装置本体１０に形成される第１当接部の一例としての段差部１０１（図４（ａ）参照）と当接するようになっている。これにより、アーム部Ｒ１が左側に撓んで、ＬＥＤユニット４０に対して左方向に向かう付勢力が働くようになっている。
【００３５】
図２に示すように、位置決め凹部２００は、下方に向けて開口するコ字状の凹部であり、図５（ｂ）に示すように、装置本体１０に形成される位置決め突起１０２と嵌合するようになっている。なお、このように嵌合した状態において、前述した右側線バネ３２０ＲによりＬＥＤユニット４０に対して左方向に向かう付勢力が働くと、位置決め凹部２００の内面が位置決め突起１０２に押し当てられて、ＬＥＤユニット４０が左右方向に位置決めされる。
【００３６】
図２に示すように、ベース部４３Ａの左側部には、第２付勢部材の一例としての左側線バネ３２０Ｌが設けられている。
【００３７】
左側線バネ３２０Ｌは、ベース部４３Ａから後斜め下方に突出するアーム部Ｌ１と、アーム部Ｌ１が前後方向に撓み変形可能なようにアーム部Ｌ１を支持するコイル部Ｌ２（図３参照）とを主に備えている。そして、左側線バネ３２０Ｌのアーム部Ｌ１は、ＬＥＤユニット４０が前記離間位置から前記露光位置に移動する際に装置本体１０に形成される第２当接部の一例としてのバネ係合部１０３（図４（ａ）参照）と当接するようになっている。これにより、アーム部Ｌ１が前方に撓んで、ＬＥＤユニット４０に対して前方に向かう付勢力が働くようになっている。
【００３８】
なお、ベース部４３Ａの両側部に形成される位置決め片２１０，２１１は、その前面が装置本体１０の位置決め面（図示略）と当接するようになっており、これにより、前述したように左側線バネ３２０ＬによってＬＥＤユニット４０に対して前方に向かう付勢力が働くと、位置決め片２１０，２１１が装置本体１０の位置決め面と当接してＬＥＤユニット４０が前後方向に位置決めされる。なお、装置本体１０に、位置決め片２１０，２１１を前方に向けて押す揺動アームを設け、揺動アームと位置決め面との間で、位置決め片２１０，２１１を挟持することで、ＬＥＤユニット４０の前後の位置決めがより確実に行われるように構成してもよい。
【００３９】
ベース部４３Ａの２つのコイルバネ収容部４３Ｃよりも左右方向内側には、後述する一対のフック４００の爪部４２０が係合する穴４３Ｇが、前後方向に貫通するように左右に１つずつ形成されている。
【００４０】
延出部４３Ｂの下端部には、ガイドローラ４４が回転可能に設けられている。このガイドローラ４４は、前述したコイルばね４７からの付勢力が支持フレーム４３を介して伝達されることで、感光ドラム５３に押し付けられて感光ドラム５３に従動回転するようになっている。これにより、感光ドラム５３が偏芯している場合でも、感光ドラム５３と支持フレーム４３に支持されたＬＥＤヘッド４１との光軸方向の間隔がガイドローラ４４によって保持されるようになっている。
【００４１】
そして、左右の延出部４３Ｂの間に配置されるＬＥＤヘッド４１は、各延出部４３Ｂに設けられた図示せぬ板バネによって上方のベース部４３Ａに押し付けられることで、支持フレーム４３に支持されている。なお、ベース部４３ＡとＬＥＤヘッド４１の間には、一対のカム４５，４６が設けられており、これによりＬＥＤヘッド４１がベース部４３Ａに対して上下に移動して、光軸方向の位置調整を行うことが可能となっている。
【００４２】
〔ホルダ４８〕
ホルダ４８は、樹脂で形成されており、主に、左右方向に延びる長尺状の基部４８Ａと、支持フレーム４３と係合することでＬＥＤユニット４０を吊り下げて支持する一対のフック４００とを備えて構成されている。
【００４３】
基部４８Ａの左右両端面には、左右方向外側に突出する回動軸部４８Ｂが設けられており、この回動軸部４８Ｂがアッパーカバー１２のＬＥＤ取付部材１４に回動可能に支持されることによって、ホルダ４８がアッパーカバー１２に対して回動可能となっている。
【００４４】
そして、基部４８Ａと支持フレーム４３（コイルバネ収容部４３Ｃ）との間にコイルバネ４７が設けられることにより、支持フレーム４３がホルダ４８（アッパーカバー１２）から離れる方向に押圧されている。
【００４５】
フック４００は、左右方向において所定の間隔を空けて２つ（一対）設けられており、それぞれ、一対のアーム部４１０と、各アーム部４１０の先端から支持フレーム４３に向けて屈曲形成される一対の爪部４２０とを備えて構成されている。
【００４６】
各アーム部４１０は、弾性変形可能に構成されており、支持フレーム４３を挟み込むようにそれぞれ配置されている。
【００４７】
各爪部４２０は、支持フレーム４３の穴４３Ｇに下から係合するように構成されている。穴４３Ｇは、爪部４２０よりも大きく形成されており、これにより、支持フレーム４３がホルダ４８に対して上下左右に移動可能となっている。また、一対のアーム部４１０と支持フレーム４３との間にも隙間が形成されている。これにより、支持フレーム４３がホルダ４８に対して前後に移動可能となっている。
【００４８】
［装置本体１０］
図４（ａ）に示すように、装置本体１０には、前述した段差部１０１、位置決め突起１０２およびバネ係合部１０３が設けられている。
【００４９】
段差部１０１は、右側線バネ３２０Ｒが当接する部分であり、装置本体１０の右サイドパネル１００のうちバネ係合部１０３よりも上方（ＬＥＤヘッド４１の光軸方向におけるアッパーカバー１２側）にずれた位置に形成されている。具体的には、ＬＥＤユニット４０が前記離間位置に位置するときにおいて、右側線バネ３２０Ｒから段差部１０１までの距離Ｘが、左側線バネ３２０Ｌからバネ係合部１０３までの距離Ｙよりも小さくなるように、段差部１０１およびバネ係合部１０３が配置されている。
【００５０】
位置決め突起１０２は、右サイドパネル１００の内面から内側に延びる台座部１０４から上方に向けて突出するように形成されている。そして、位置決め突起１０２の先端面は、右斜め下方に向けて傾斜する傾斜面となっている。
【００５１】
そのため、位置決め凹部２００の縁が位置決め突起１０２の傾斜面で右側に案内されて、位置決め凹部２００の内面と位置決め突起１０２の右側の面とが係合するようになっている。なお、位置決め突起１０２の傾斜面または位置決め凹部２００の縁を、曲面状あるいは球面状とすることで、これらを線接触または点接触させてもよい。これによれば、位置決め凹部２００を位置決め突起１０２に係合させる際の抵抗が少なくなり、ＬＥＤユニット４０の装着を容易にすることができる。
【００５２】
バネ係合部１０３は、左側線バネ３２０Ｌが当接する部分であり、装置本体１０の左サイドパネル１０５から左右方向内側に突出するように設けられている。
【００５３】
＜ＬＥＤユニット４０の装着時の作用＞
次に、ＬＥＤユニット４０を装置本体１０に装着する際における各部材の作用について説明する。
【００５４】
アッパーカバー１２を閉めることで、図４（ａ）に示す離間位置に位置するＬＥＤユニット４０を下げていくと、図４（ｂ）に示すように、右側線バネ３２０Ｒが左側線バネ３２０Ｌよりも先に装置本体１０（段差部１０１）に当接する。これにより、ＬＥＤユニット４０には右側部分のみに抵抗力が加わるだけなので、ＬＥＤユニット４０は、図４（ｃ）に示すように、多少斜めにはなるが、前記露光位置に向けてスムーズに挿入されていく。
【００５５】
その後、図５（ａ）に示すように、左側線バネ３２０Ｌがバネ係合部１０３に当接すると、ＬＥＤユニット４０の姿勢が元の水平な状態に戻り、図５（ｂ）に示すように、位置決め凹部２００が位置決め突起１０２に係合して、ＬＥＤユニット４０の位置決めが完了する。なお、右側線バネ３２０Ｒの後に装置本体１０に当接する左側線バネ３２０Ｌには大きな抵抗力が加わるが、左側コイルバネ４７Ｌが右側コイルバネ４７Ｒよりも強い押圧力となっているので、左側線バネ３２０Ｌを正規位置まで確実に押し込むことが可能となっている。
【００５６】
以上によれば、本実施形態において以下のような効果を得ることができる。
ＬＥＤユニット４０を露光位置へ移動していく際に、右側線バネ３２０Ｒと左側線バネ３２０Ｌとが同時に装置本体１０に当接しないので、その分抵抗が少なくなり、ＬＥＤユニット４０の位置決めを良好に行うことが可能となる。
【００５７】
左側コイルバネ４７Ｌが、右側コイルバネ４７Ｒの押圧力よりも強い押圧力となっているので、大きな抵抗力がかかる左側線バネ３２０Ｌを強く押して、ＬＥＤユニット４０を正規位置に良好に位置決めすることができる。
【００５８】
なお、本発明は前記実施形態に限定されることなく、以下に例示するように様々な形態で利用できる。
前記実施形態では、段差部１０１をバネ係合部１０３よりも上方にずらすことで、右側線バネ３２０Ｒを左側線バネ３２０Ｌよりも先に装置本体１０に当接するようにしたが、本発明はこれに限定されるものではない。例えば、図６に示すように、上下方向（ＬＥＤヘッド４１の光軸方向）において、段差部１０１とバネ係合部１０３を同じ位置にする代わりに、右側線バネ３２０Ｒを左側線バネ３２０Ｌよりも下側（感光ドラム５３側）にずれるように配置してもよい。この場合も、前記実施形態と同様に、右側線バネ３２０Ｒを左側線バネ３２０Ｌよりも先に装置本体１０に当接させることができる。
【００５９】
また、図７に示すように、一対のフック４００のうち一方のフック４０１が支持フレーム４３と係合する部分と、他方のフック４０２が支持フレーム４３と係合する部分とを上下方向（ＬＥＤヘッド４１の光軸方向）でずらすことで、ＬＥＤユニット４０を斜めに吊り下げてもよい。この場合も、前記実施形態と同様に、右側線バネ３２０Ｒを左側線バネ３２０Ｌよりも先に装置本体１０に当接させることができる。
【００６０】
前記実施形態では、露光部材（ＬＥＤユニット４０）に第１付勢部材および第２付勢部材（右側線バネ３２０Ｒ、左側線バネ３２０Ｌ）を設け、装置本体１０に第１当接部および第２当接部（段差部１０１、バネ係合部１０３）を設けたが、本発明はこれに限定されない。例えば、これとは逆に、第１付勢部材および第２付勢部材を装置本体に設け、露光部材に第１当接部および第２当接部を設けてもよい。
【００６１】
この場合も、第１付勢部材から第１当接部までの距離を、第２付勢部材から第２当接部までの距離よりも短くすることで、第１付勢部材を第２付勢部材よりも先に露光部材に当接させることができる。具体的には、例えば、図８（ａ），（ｂ）に示すように、上下方向（露光部材の光軸方向）において、ＬＥＤユニット４０Ａの第１当接部Ａ１と第２当接部Ａ２を上下方向で同じ位置に配置するとともに、装置本体１０に設けた右側線バネ１１０Ｒを、左側線バネ１１０Ｌよりも上側（支持部材側）にずらすように配置すればよい。
【００６２】
また、装置本体および露光部材のいずれか一方に第１付勢部材および第２当接部を設け、他方に第１当接部および第２付勢部材を設けてもよい。具体的には、例えば、図８（ａ）に示す形態において、第２当接部Ａ２と左側線バネ１１０Ｌとを入れ替えてもよい。この場合も、第１付勢部材から第１当接部までの距離を、第２付勢部材から第２当接部までの距離よりも短くすることで、第１付勢部材を第２付勢部材よりも先に露光部材に当接させることができる。
【００６３】
前記実施形態では、支持部材としてアッパーカバー１２を採用したが、本発明はこれに限定されず、例えばアッパーカバー１２とは別に装置本体１０に移動可能に支持されるフレームを支持部材としてもよい。
前記実施形態では、押圧部材としてコイルバネ４７を採用したが、本発明はこれに限定されず、例えばピストンなどを採用してもよい。
【００６４】
前記実施形態では、左側のコイルバネ４７の押圧力を右側よりも大きな押圧力にすることで、後から装置本体１０に当接することで大きな抵抗力がかかるＬＥＤユニット４０の左側部分を正規位置まで良好に押し込む構成としたが、本発明はこれに限定されない。例えば、後から装置本体に当接する第２付勢部材の付勢力を第１付勢部材よりも弱くすることで、第２付勢部材にかかる抵抗力を小さくして、第２付勢部材を正規位置まで良好に押し込むことが可能なように構成してもよい。
【００６５】
前記実施形態では、感光体として感光ドラム５３を採用したが、本発明はこれに限定されず、例えばベルト状の感光体を採用してもよい。
前記実施形態では、付勢部材として線バネを採用したが、本発明はこれに限定されず、板バネ等であってもよい。
【００６６】
前記実施形態では、カラープリンタ１に本発明を適用したが、本発明はこれに限定されず、その他の画像形成装置、例えば複写機や複合機などに本発明を適用してもよい。
【符号の説明】
【００６７】
１      カラープリンタ
１０    装置本体
１２    アッパーカバー
４０    ＬＥＤユニット
４１    ＬＥＤヘッド
４７    コイルバネ
４８    ホルダ
５３    感光ドラム
１００  右サイドパネル
１０１  段差部
１０３  バネ係合部
１０５  左サイドパネル
３２０Ｌ  左側線バネ
３２０Ｒ  右側線バネ
４００  フック
【図１】
2010256756.tif 000003
【図２】
2010256756.tif 000004
【図３】
2010256756.tif 000005
【図４】
2010256756.tif 000006
【図５】
2010256756.tif 000007
【図６】
2010256756.tif 000008
【図７】
2010256756.tif 000009
【図８】
2010256756.tif 000010